(57)【要約】      （修正有）【課題】モータによって生じた排熱が風道に入り込むことがなく、好ましい冷房効果を有すると共に、騒音の発生を低減することができる補助送風装置を提供する。【解決手段】ハウジング１、横流ファン２、第１のモータ３及び底板４を含む。ハウジング内部には収容空間が形成されており、ハウジングの一端には収容空間と互いに連通する第１の開口が形成されている。横流ファンは、ハウジングの収容空間内に回動可能に設けられる。第１のモータは、ハウジングに設けられ、横流ファンに接続されるように横流ファンの側部に位置する。第１のモータの外部に防振ゴム３２が被覆されている。ハウジングが底板に組み付けられることにより、底板がハウジングの第１の開口に設けられる。これにより、好ましい冷房効果を有すると共に、騒音の発生を低減することができる。【選択図】図２
0003194704.tif 000002
【実用新案登録請求の範囲】
【請求項１】
収容空間が形成されており、一端には前記収容空間と互いに連通する第１の開口が形成されているハウジングと、
前記ハウジングの前記収容空間内に回動可能に設けられる横流ファンと、
前記ハウジングに設けられ、前記横流ファンに接続されるように前記横流ファンの側部に位置し、外部に防振ゴムが被覆されている第１のモータと、
前記ハウジングが組み付けられることで前記ハウジングの前記第１の開口に設けられ、前記ハウジングの前記第１の開口とそれぞれ連通する第２の開口及び第３の開口を有する底板と、
を含むことを特徴とする補助送風装置。
【請求項２】
前記ハウジングは、２つの側板及び保護板セットを含んでなり、前記保護板セットは、前記２つの側板の間に接続されることを特徴とする請求項１に記載の補助送風装置。
【請求項３】
前記ハウジング内にモータ台が設けられており、前記第１のモータが前記モータ台における前記横流ファンから離れた一側に固定されることを特徴とする請求項１又は２に記載の補助送風装置。
【請求項４】
前記底板における前記ハウジングとは反対の一側には、前記第２の開口と対応する吸込口と、前記第３の開口と対応する吹出口とを有するパネルが設けられることを特徴とする請求項１〜３のいずれか一項に記載の補助送風装置。
【請求項５】
少なくとも１つの第１のブレード及び第２のモータを含む上下導風機構を更に含み、
前記ハウジングにおける前記第３の開口と対応する位置にフレームベースが設けられており、
前記第１のブレードの両端は、前記フレームベースの両側に枢設されており、
前記フレームベース内には、複数の支持板が設けられており、
前記第１のブレードには、複数の枢軸が設けられており、
前記複数の支持板には、それぞれ軸孔が設けられており、
前記複数の枢軸は、前記複数の軸孔内に枢設され、各前記枢軸と各前記軸孔との間には、制動板がそれぞれ設けられており、
前記第２のモータは、前記フレームベースの一側に設けられており、第１の伝動機構を介して前記第１のブレードに接続されることを特徴とする請求項１〜４のいずれか一項に記載の補助送風装置。
【請求項６】
少なくとも１つの第２のブレード及び第３のモータを含む左右導風機構を更に含み、
前記第２のブレードの両端は、前記フレームベースの頂側及び底側に枢設されており、
前記第３のモータは、前記フレームベースの一側に設けられており、第２の伝動機構を介して前記第２のブレードに接続されることを特徴とする請求項５に記載の補助送風装置。
【請求項７】
前記ハウジングには、ネットワーク受信ユニットが設けられていることを特徴とする請求項１〜６のいずれか一項に記載の補助送風装置。
【考案の詳細な説明】
【技術分野】
【０００１】
本考案は、補助送風装置に関し、特に天井又は軽量鉄骨等に取り付けられ、クーラーが冷房効果を達成するのを補助するための補助送風装置に関する。
【背景技術】
【０００２】
科学技術の進歩に伴い、新製品の研究開発が絶えず行われているが、その目的は他でもなく人類の生活に利便性及び快適性をもたらすことにある。暑い夏の日には、往々にして室外から陽が射しこむことによって、室内が蒸し暑い空間となり、また、地球の温室効果によって気温が次第に高くなっていることから、生活環境全体の温度が高くなっている。そのため、住宅、オフィス又は商業施設といった空間を問わず、そのほとんどにおいて、使用者に快適且つ涼しい環境を提供するために、クーラーが取り付けられている。また、クーラーの使用にあたっては、通常、室内の空気の対流を加速させて室内の冷気の分布を均一にするために、扇風機を同時に使用することができる。これにより、設定温度を下げずとも同様の快適感を得ることができると共に、クーラーの電力消費を低減して、エネルギー節約の効果を達成することができる。
【０００３】
従来技術において、ファン（換気扇、循環ファン）を天井等に設けることによって、床に占める空間を低減すると共に、人の邪魔になることを低減することが開示されている。しかしながら、従来の天井に設けられたファンのほとんどは、送風機又は軸流ファン１００（図１参照）の形式を用いており、ファンの使用時には、後方のモータによって生じた排熱が風道に入り込むことで、室内温度が上昇して、冷房効果を大幅に損ないやすく、また、冷房をオンにしない場合、吹き出された熱風によって、使用者が暑く感じる問題があった。更には、上述したファンでは、使用時に大きな騒音が生じる問題もあった。
【考案の概要】
【考案が解決しようとする課題】
【０００４】
本考案は、モータによって生じた排熱が風道に入り込むことがなく、好ましい冷房効果を有すると共に、騒音の発生を低減することができる補助送風装置を提供することを課題とする。
【課題を解決するための手段】
【０００５】
上述した課題を解決するために、本考案に係る補助送風装置は、収容空間が形成されており、一端には収容空間と互いに連通する第１の開口が形成されているハウジングと、ハウジングの収容空間内に回動可能に設けられる横流ファンと、ハウジングに設けられ、横流ファンに接続されるように横流ファンの側部に位置し、外部に防振ゴムが被覆されている第１のモータと、ハウジングが組み付けられることでハウジングの第１の開口に設けられ、ハウジングの第１の開口とそれぞれ連通する第２の開口及び第３の開口を有する底板と、を含む。
【考案の効果】
【０００６】
本考案に係る補助送風装置は、単独で使用することもでき、クーラーと合わせて同時に使用することもできる。本考案に係る補助送風装置をクーラーと合わせて使用した場合、室内の空気の対流を加速させて室内の冷気の分布を均一にすることができ、設定温度を下げずとも同様の快適感を得ることができると共に、クーラーの電力消費を低減して、エネルギー節約の効果を達成することができる。
【０００７】
本考案に係る補助送風装置は、第１のモータの外部に防振ゴムが被覆されているため、共振を低減することができ、騒音の発生を低減することもできる。
【０００８】
本考案に係る補助送風装置は、第１のモータが横流ファンの側部に設けられ、第１のモータによって生じた排熱が風道に入り込むことがないため、好ましい冷房効果を有し、冷房をオンにしない場合でも、熱風が吹き出されることがなく、使用者が暑く感じることはない。
【図面の簡単な説明】
【０００９】
【図１】従来のファンを示した図である。
【図２】本考案に係る補助送風装置を示した分解斜視図である。
【図３】本考案に係る補助送風装置を示した斜視図である。
【図４】本考案に係る補助送風装置を他の視点から見た斜視図である。
【図５】本考案に係る補助送風装置を示した断面図である。
【図６】本考案に係る補助送風装置を示した他の断面図である。
【図７】本考案上下導風機構を示した斜視図である。
【図８】本考案左右導風機構を示した斜視図である。
【考案を実施するための形態】
【００１０】
図２乃至図６に示すように、本考案に係る補助送風装置は、ハウジング１、横流ファン２、第１のモータ３及び底板４を含む。
【００１１】
ハウジング１は中空体であり、ハウジング１の外形は制限されない。本実施例において、ハウジング１は弧形体であり、２つの側板１１及び保護板セット１２を含んでなる。保護板セット１２は、一体式又は複数部材の組み合わせ式であってもよい。本実施例において、保護板セット１２は、第１の保護板１２１、第２の保護板１２２及び第３の保護板１２３を含んでなる。第２の保護板１２２は、第１の保護板１２１と第３の保護板１２３との間に接続される。保護板セット１２は、２つの側板１１の間に接続される。ハウジング１のサイズ（例えば長さ、幅等）は制限されないが、天井又は軽量鉄骨等に取り付けられるように、必要に応じて適宜増減することができる。ハウジング１内部には、横流ファン２を収容するための収容空間１３が形成されている。ハウジング１の一端には、第１の開口１４が形成されている。第１の開口１４は収容空間１３と互いに連通する。ハウジング１の保護板セット１２の内壁も、気流の流動を案内することができるように、斜面又は弧面等の形状に形成されてもよい。
【００１２】
横流ファン２は、ハウジング１の収容空間１３内に設けられる。横流ファン２は、プラスチック及びアルミニウムからなるものを用いてもよいが、材質はこれらに限定されない。横流ファン２は、ハウジング１内に回動可能に設けられる。即ち、横流ファン２は、ハウジング１内部で回動自在に回転することができる。横流ファン２は、複数の弧形的ブレード２１を有する。これらのブレード２１は間隔を空けて設けられると共に、円柱状に配列される。本実施例において、横流ファン２の一端は軸基板２２を介して側板１１に枢支接続され、横流ファン２の他端は第１のモータ３に接続される。
【００１３】
第１のモータ３は、ハウジング１に設けられる。第１のモータ３は、横流ファン２の側部に位置する。本実施例において、ハウジング１内にはモータ台３１が設けられている。モータ台３１は、ネジ固定又ははんだ付け等の方式によりハウジング１内に固定されてもよい。第１のモータ３は、ネジ固定等の方式によりモータ台３１における横流ファン２から離れた一側に固定されると共に、横流ファン２の一端に接続されてもよい。即ち、第１のモータ３の回動軸が横流ファン２の一端に接続されることで、横流ファン２の回転が第１のモータ３によって駆動されることができる。第１のモータ３としては、体積が小さく、重量が軽いといった利点を有するように、直流ブラシレスモータ又はステッピングモータ等を用いることができる。但し、第１のモータ３の型式はこれに限定されず、その他の型式のモータを用いてもよい。第１のモータ３は、適切な制御回路（例えば制御ボックス１０）に電気的に接続される。第１のモータ３は、モータ台３１と他の側板１１との間に設けられると共に、共振及び騒音を低減できるように、第１のモータ３の外部に防振ゴム３２が被覆されている。
【００１４】
底板４は、固定枠として形成されるように金属板によって製作することができる。ハウジング１は、ネジ固定又は係止接続等の方式により、底板４に組み付けられることができる。本考案に係る補助送風装置を取り付けようとする場合、まず底板４をネジ固定等の方式により天井又は軽量鉄骨等に固定してから、底板４がハウジング１の第１の開口１４に設けられるように、補助送風装置の他の部分をハウジング１を介して底板４に組み付けることができる。本考案に係る補助送風装置は、全体の組み付けが完了してから、底板４をネジ固定等の方式により天井又は軽量鉄骨等に固定することもできる。底板４には、第２の開口４１及び第３の開口４２が設けられている。第２の開口４１及び第３の開口４２と、ハウジング１の第１の開口１４とは、互いに連通する。従って、空気は第２の開口４１及び第１の開口１４を経由して収容空間１３に取り込まれた後、第１の開口１４及び第３の開口４２を経由して吹き出される。
【００１５】
底板４のハウジング１とは反対の一側には、パネル５が更に設けられることができる。パネル５の外形は制限されないが、本実施例において、パネル５は長方形である。パネル５は、弾性板５４による係止接続等の方式により底板４に固定される。パネル５は、吸込口５１及び吹出口５２を有する。吸込口５１及び吹出口５２は、それぞれ第２の開口４１及び第３の開口４２と対応する。従って、吸込口５１は、第２の開口４１を介して第１の開口１４及び収容空間１３と互いに連通し、吹出口５２は、第３の開口４２を介して第１の開口１４及び収容空間１３と互いに連通することができる。吸込口５１及び吹出口５２は、いずれもパネル５に設けられ、同一平面に位置する。従って、吸込口５１及び吹出口５２は、補助送風装置の同一面に位置する。吸込口５１は、開口、吸気グリル又はメッシュ等の型式であってもよいが、それらに限定されない。本実施例において、吸込口５１は、開口型式である。吸込口５１の内側には、フィルタ５３等の装置を設けることができる。吹出口５２は、吸込口５１の一側に位置し、吸込口５１と吹出口５２との間には、両者を仕切るための仕切り部５５が設けられる。
【００１６】
本考案に係る補助送風装置には、上下導風機構６（図７参照）を更に設けることができる。上下導風機構６は、ハウジング１に設けられた、吹出口５２、第３の開口４２と対応する少なくとも１つの第１のブレード６１を含み、上下導風の効果を提供することができる。第１のブレード６１の数は制限されないが、本実施例において、第１のブレード６１は２つ設けられている。本実施例において、ハウジング１における、吹出口５２、第３の開口４２と対応する位置にフレームベース７が更に設けられている。フレームベース７は、第１の接続板７１、第２の接続板７２、第１の固定板７３及び第２の固定板７４を含む。第１の接続板７１及び第２の接続板７２は、互いに平行となると共に間隔を空けて設けられる。第１の固定板７３及び第２の固定板７４は、第１の接続板７１及び第２の接続板７２の両端の間に接続される。これにより、中空状のフレームベース７が形成される。第１の接続板７１には、制御板７５が更に接続されている。第１の接続板７１及び制御板７５は、第２の開口４１と第３の開口４２との間に対応して位置しており、第１の開口１４を２つの部分に区分けして、それぞれ第２の開口４１及び第３の開口４２に対応させるのに用いられる。
【００１７】
第１のブレード６１は、フレームベース７内に枢設される。即ち、第１のブレード６１が上下にスイングして、空気の吹き出し方向を上下に調整できるように、第１のブレード６１の両端は、フレームベース７の両側に枢設される。フレームベース７内には、長尺状の第１のブレード６１が湾曲して変形することを回避するために、第１のブレード６１を支持するための複数の支持板６５が設けられてもよい。第１のブレード６１には、複数の枢軸６１１が設けられている。複数の支持板６５には、それぞれ軸孔６５１が設けられている。複数の枢軸６１１は、これら軸孔６５１内に枢設されると共に、各枢軸６１１と各軸孔６５１との間には、振動の発生を低減するための制動板６６がそれぞれ設けられている。好ましくは、第１のブレード６１は、電動方式により駆動される。即ち、上下導風機構６は、第２のモータ６２を更に含む。第２のモータ６２は、フレームベース７の一側に設けることができる。第２のモータ６２は、適切な制御回路（例えば制御ボックス１０）に電気的に接続される。第２のモータ６２は、第１の伝動機構６３（例えばリンク機構）を介して第１のブレード６１のそれぞれに接続されることができる。
【００１８】
本考案に係る補助送風装置には、左右導風機構８（図８参照）を更に設けることができる。左右導風機構８は、ハウジング１に設けられた、吹出口５２、第３の開口４２と対応する少なくとも１つの第２のブレード８１を含み、左右導風の効果を提供することができる。第２のブレード８１の数は制限されないが、本実施例において、第２のブレード８１は複数設けられている。第２のブレード８１は、フレームベース７内に枢設される。即ち、第２のブレード８１が左右にスイングして、空気の吹き出し方向を左右に調整できるように、第２のブレード８１の両端は、フレームベース７の頂側及び底側に枢設される。好ましくは、第２のブレード８１は、電動方式により駆動される。即ち、左右導風機構８は、第３のモータ８２を更に含む。第３のモータ８２は、フレームベース７の一側に設けることができる。第３のモータ８２は、適切な制御回路（例えば制御ボックス１０）に電気的に接続される。第３のモータ８２は、第２の伝動機構８３（例えばリンク機構）を介して第２のブレード８１のそれぞれに接続されることができる。
【００１９】
また、本考案に係る補助送風装置には、リモコン基板９を更に設けることができる。リモコン基板９は、リモートコントロール方式で第１のモータ３を起動することで横流ファン２の回転を駆動することができるように、第１のモータ３に電気的に接続されることができる。リモコン基板９は、リモートコントロール方式で第２のモータ６２及び第３のモータ８２を起動することで第１のブレード６１及び第２のブレード８１を連続してスイングさせることができるように、第２のモータ６２及び第３のモータ８２にも電気的に接続されることができる。これにより、本考案に係る補助送風装置は、送風が均一化され、より広範囲の循環送風効果を奏することができる。第２のモータ６２及び第３のモータ８２としては、体積が小さく、重量が軽いといった利点を有するように、直流ブラシレスモータ又はステッピングモータ等を用いることができる。但し、第２のモータ６２及び第３のモータ８２の型式はこれに限定されず、その他の型式のモータを用いてもよい。
【００２０】
また、本考案に係る補助送風装置には、それぞれ第１のブレード６１及び第２のブレード８１のスイングの角度を検出するための、第１のマイクロスイッチ６４及び第２のマイクロスイッチ８４を更に設けることができる。本考案に係る補助送風装置は、ハウジング１に電源外部接続ボックス２０及びネットワーク受信ユニット３０を更に設けることができる。電源外部接続ボックス２０及びネットワーク受信ユニット３０は、適切な制御回路（例えば制御ボックス１０）に電気的に接続される。ネットワーク受信ユニット３０は、ネットワーク方式で補助送風装置の動作を制御することができる。
【００２１】
本考案に係る補助送風装置は、天井又は軽量鉄骨等に取り付けられ、クーラーが冷房効果を達成するのを補助するのに用いられる。本考案に係る補助送風装置は、リモコン等の方式で操作を制御することもできる。
【００２２】
本考案に係る補助送風装置は、単独で使用することもでき、クーラーと合わせて同時に使用することもできる。使用時には、気流を吸込口５１から取り込んだ後に吹出口５２から吹き出すことができるように、第１のモータ３によって横流ファン２の回転を駆動する。本考案に係る補助送風装置をクーラーと合わせて使用した場合、室内の空気の対流を加速させて室内の冷気の分布を均一にすることができ、設定温度を下げずとも同様の快適感を得ることができると共に、クーラーの電力消費を低減して、エネルギー節約の効果を達成することができる。
【００２３】
本考案において、第１のモータ３は、モータ台３１と側板１１との間に設けられると共に、共振及び騒音の発生を低減できるように、第１のモータ３の外部に防振ゴム３２が被覆されている。
【００２４】
本考案に係る補助送風装置は、第１のモータ３等の動力源を横流ファン２の側部に設けると共に、第１のモータ３と横流ファン２との間をモータ台３１によって区分けすることができることから、第１のモータ３を風道から隔てることができ、第１のモータによって生じた排熱が風道に入り込むことがないため、好ましい冷房効果を有し、冷房をオンにしない場合でも、熱風が吹き出されることがなく、使用者が暑く感じることはない。
【００２５】
以上は本考案の好ましい実施例に過ぎず、本考案の権利範囲を限定するものではない。従って、本考案の明細書及び図面に基づいて為された等価の変更は、いずれも本考案の実用新案登録請求の範囲に含まれる。
【００２６】
本考案に係る補助送風装置は、以下のような構成をとることもできる。
［１］収容空間が形成されており、一端にはその収容空間と互いに連通する第１の開口が形成されているハウジングと、そのハウジングのその収容空間内に回動可能に設けられる横流ファンと、そのハウジングに設けられ、その横流ファンに接続されるように前記横流ファンの側部に位置し、外部に防振ゴムが被覆されている第１のモータと、そのハウジングが組み付けられることでそのハウジングのその第１の開口に設けられ、そのハウジングのその第１の開口とそれぞれ連通する第２の開口及び第３の開口を有する底板と、を含むことを特徴とする補助送風装置。
［２］そのハウジングは、２つの側板及び保護板セットを含んでなり、その保護板セットは、その２つの側板の間に接続されることを特徴とする［１］に記載の補助送風装置。
［３］そのハウジング内にモータ台が設けられており、その第１のモータがそのモータ台におけるその横流ファンから離れた一側に固定されることを特徴とする［１］又は［２］に記載の補助送風装置。
［４］その底板におけるそのハウジングとは反対の一側には、その第２の開口と対応する吸込口と、その第３の開口と対応する吹出口とを有するパネルが設けられることを特徴とする［１］〜［３］のいずれか１つに記載の補助送風装置。
［５］少なくとも１つの第１のブレード及び第２のモータを含む上下導風機構を更に含み、そのハウジングにおけるその第３の開口と対応する位置にフレームベースが設けられており、その第１のブレードの両端は、そのフレームベースの両側に枢設されており、そのフレームベース内には、複数の支持板が設けられており、その第１のブレードには、複数の枢軸が設けられており、その複数の支持板には、それぞれ軸孔が設けられており、その複数の枢軸は、その複数の軸孔内に枢設され、各枢軸と各軸孔との間には、制動板がそれぞれ設けられており、その第２のモータは、そのフレームベースの一側に設けられており、第１の伝動機構を介してその第１のブレードに接続されることを特徴とする［１］〜［４］のいずれか１つに記載の補助送風装置。
［６］少なくとも１つの第２のブレード及び第３のモータを含む左右導風機構を更に含み、その第２のブレードの両端は、そのフレームベースの頂側及び底側に枢設されており、その第３のモータは、そのフレームベースの一側に設けられており、第２の伝動機構を介してその第２のブレードに接続されることを特徴とする［５］に記載の補助送風装置。
［７］そのハウジングには、ネットワーク受信ユニットが設けられていることを特徴とする［１］〜［６］のいずれか１つに記載の補助送風装置。
【符号の説明】
【００２７】
１    ハウジング
１１  側板
１２  保護板セット
１２１  第１の保護板
１２２  第２の保護板
１２３  第３の保護板
１３  収容空間
１４  第１の開口
２    横流ファン
２１  ブレード
２２  軸基板
３    第１のモータ
３１  モータ台
３２  防振ゴム
４    底板
４１  第２の開口
４２  第３の開口
５    パネル
５１  吸込口
５２  吹出口
５３  フィルタ
５４  弾性板
５５  仕切り部
６    上下導風機構
６１  第１のブレード
６１１  枢軸
６２  第２のモータ
６３  第１の伝動機構
６４  第１のマイクロスイッチ
６５  支持板
６５１  軸孔
６６  制動板
７    フレームベース
７１  第１の接続板
７２  第２の接続板
７３  第１の固定板
７４  第２の固定板
７５  制御板
８    左右導風機構
８１  第２のブレード
８２  第３のモータ
８３  第２の伝動機構
８４  第２のマイクロスイッチ
９    リモコン基板
１０  制御ボックス
２０  電源外部接続ボックス
３０  ネットワーク受信ユニット
１００  軸流ファン
【図１】
0003194704.tif 000003
【図２】
0003194704.tif 000004
【図３】
0003194704.tif 000005
【図４】
0003194704.tif 000006
【図５】
0003194704.tif 000007
【図６】
0003194704.tif 000008
【図７】
0003194704.tif 000009
【図８】
0003194704.tif 000010